(57)【要約】【課題】両面取扱型の紙幣入出金機の紙幣搬送における高い信頼性を確保する手段を提供する。【解決手段】前面に配置された前面入出金部１３と、反対側の後面に配置された後面入出金部１４と、紙幣に対する各種の鑑別を行う鑑別部１５とを備えた紙幣入出金機９において、前面入出金部１３と鑑別部１５との間、および後面入出金部１４と鑑別部１５との間をそれぞれ一直線の入出金部搬送路２０ａ、２０ｂで接続する。【選択図】        図４
2010287073.tif 000002
【特許請求の範囲】
【請求項１】
前面に配置された前面入出金部と、前記前面の反対側の後面に配置された後面入出金部と、紙幣に対する各種の鑑別を行う鑑別部と、を備えた紙幣入出金機において、
前記前面入出金部と前記鑑別部との間、および前記後面入出金部と前記鑑別部との間を、それぞれ一直線の入出金部搬送路で接続したことを特徴とする紙幣入出金機。
【請求項２】
請求項１において、
前記前面入出金部および前記後面入出金部のいずれか一方の入出金部から前記入出金部搬送路によって前記鑑別部へ搬送され、前記鑑別部で入金時のリジェクト紙幣と鑑別された紙幣を、前記入出金部搬送路を逆方向に搬送して、搬送元の入出金部へ返却することを特徴とする紙幣入出金機。
【請求項３】
請求項１または請求項２において、
前記前面入出金部および前記後面入出金部の少なくとも一方の入出金部に、その入出金口を開閉するシャッタを設け、
前記シャッタを設けた入出金部と反対側の入出金部に紙幣が投入された場合に、前記シャッタを設けた入出金部のシャッタを閉鎖して、当該入出金部を一時保留部として機能させることを特徴とする紙幣入出金機。
【請求項４】
請求項１または請求項２において、
紙幣を収納する紙幣収納部を設けると共に、前記前面入出金部および前記後面入出金部のいずれか一方の入出金部と前記鑑別部との間の前記入出金部搬送路から分岐して前記紙幣収納部に至る収納搬送路を設け、
他方の入出金部に紙幣が投入された場合に、前記紙幣収納部を一時保留部として機能させることを特徴とする紙幣入出金機。
【請求項５】
請求項１または請求項２において、
紙幣を収納する紙幣収納部と、
前記前面入出金部および前記後面入出金部のいずれか一方の入出金部と前記鑑別部との間の前記入出金部搬送路から分岐して前記紙幣収納部に至る収納搬送路と、
他方の入出金部と前記鑑別部との間の前記入出金部搬送路から分岐して、前記一方の入出金部に至る入出金搬送路と、を設けたことを特徴とする紙幣入出金機。
【発明の詳細な説明】
【技術分野】
【０００１】
本発明は、装置の前面および後面に入出金部を有する両面取扱型の現金処理装置に用いる紙幣入出金機に関する。
【背景技術】
【０００２】
近年、小売業界の省力化の一環として、両面取扱型の自動精算機等の両面取扱型の現金処理装置（以下単に、現金処理装置という。）の導入が加速してきており、このような現金処理装置の小型化ニーズが高まってきている。
【０００３】
また、このような現金処理装置が顧客操作型である場合には、折れや破れ、テープ貼付等のジャム発生を誘発する可能性を有する状態の悪い紙幣（ジャム誘発券という。）が投入されたとしても、紙幣ジャムが発生しないような紙幣搬送における高い信頼性が要求される。
【０００４】
従来の現金処理装置に設けられた紙幣入出金機は、装置の前面に配置されたシャッタを有する前面入出金部と、反対側の後面に配置されたシャッタを有する後面入出金部と、紙幣に対する各種の鑑別を行う鑑別部と、紙幣を収納する紙幣収納部を備え、前面入出金部および後面入出金部からそれぞれ延びる２つの専用搬送部の合流部から、共通搬送部および振分搬送部を経由して鑑別部に至る搬送路を設け、前面入出金部または後面入出金部から投入された紙幣を、その側の専用搬送部、合流部、共通搬送部および振分搬送部を経由して鑑別部へ搬送し、鑑別部でリジェクトされた紙幣は、前記の各搬送部を逆転させて、搬送元の入出金部へ返却している（例えば、特許文献１参照。）。
【先行技術文献】
【特許文献】
【０００５】
【特許文献１】特開２００４−３１０５４０号公報（段落００２０、００２１、第５図）
【発明の概要】
【発明が解決しようとする課題】
【０００６】
しかしながら、上述した従来の技術においては、一方の入出金部に投入された紙幣を、その側の専用搬送部、合流部、共通搬送部および振分搬送部を経由して鑑別部へ搬送し、鑑別部でリジェクトされた紙幣は、前記の各搬送部を逆転させて、搬送元の入出金部へ返却しているため、入出金部から鑑別部に至る搬送路が長くなると共に複数の分岐部が存在し、投入された紙幣にジャム誘発券が含まれていた場合には、搬送路の分岐部に形成された曲り等により、紙幣ジャム等の搬送障害が発生する恐れがあり、紙幣搬送における高い信頼性を確保することが困難になるという問題がある。
【０００７】
また、紙幣入出金機の小型化を図る場合には、必然的に搬送路は折畳んだような形態になり、曲り部が多くなって上記と同様の問題が生ずる。
【課題を解決するための手段】
【０００８】
本発明は、上記課題を解決するために、前面に配置された前面入出金部と、前記前面の反対側の後面に配置された後面入出金部と、紙幣に対する各種の鑑別を行う鑑別部とを備えた紙幣入出金機において、前記前面入出金部と前記鑑別部との間、および前記後面入出金部と前記鑑別部との間を、それぞれ一直線の入出金部搬送路で接続したことを特徴とする。
【発明の効果】
【０００９】
これにより、本発明は、前面入出金部と鑑別部との間、および後面入出金部と鑑別部との間を、それぞれ直線かつ最短距離にして接続することができ、投入された紙幣にジャム誘発券が含まれていたとしても、鑑別部への搬送時やその逆方向への搬送時における紙幣ジャム等の搬送障害の発生を防止して、両面取扱型の紙幣入出金機の信頼性を高めることができると共に、当該ジャム誘発券を投入紙幣の取込処理の初期段階で予め除去することができ、その後の紙幣収納部等への搬送経路における曲り部の存在を許容して紙幣入出金機の小型化を図ることができるという効果が得られる。
【図面の簡単な説明】
【００１０】
【図１】実施例１の現金処理装置を示すブロック図
【図２】実施例１の現金処理装置の外観を示す説明図
【図３】実施例１の紙幣入出金機を示すブロック図
【図４】実施例１の紙幣入出金機の内部構成を示す概略側面図
【図５】実施例１の前面入出金部を用いた場合の入金動作を示す説明図
【図６】実施例１の前面入出金部を用いた場合の出金動作を示す説明図
【図７】実施例１の後面入出金部を用いた場合の取込動作を示す説明図
【図８】実施例１の後面入出金部を用いた場合の収納動作を示す説明図
【図９】実施例１の後面入出金部を用いた場合の出金紙幣の一時保留動作を示す説明図
【図１０】実施例１の後面入出金部を用いた場合の出金動作を示す説明図
【図１１】実施例１の支払方法選択画面の表示例を示す説明図
【図１２】実施例１のリジェクト紙幣返却画面の表示例を示す説明図
【図１３】実施例２の紙幣入出金機の内部構成を示す概略側面図
【図１４】実施例２の前面入出金部を用いた場合の取込動作を示す説明図
【図１５】実施例２の前面入出金部を用いた場合の収納動作を示す説明図
【図１６】実施例２の前面入出金部を用いた場合の出金動作を示す説明図
【図１７】実施例２の後面入出金部を用いた場合の取込動作を示す説明図
【図１８】実施例２の後面入出金部を用いた場合の収納動作を示す説明図
【図１９】実施例２の後面入出金部を用いた場合の出金動作を示す説明図
【図２０】実施例３の紙幣入出金機の内部構成を示す概略側面図
【図２１】実施例３の前面入出金部を用いた場合の取込動作を示す説明図
【図２２】実施例３の前面入出金部を用いた場合の収納動作を示す説明図
【図２３】実施例３の前面入出金部を用いた場合の出金動作を示す説明図
【図２４】実施例３の後面入出金部を用いた場合の取込動作を示す説明図
【図２５】実施例３の後面入出金部を用いた場合の収納動作を示す説明図
【図２６】実施例３の後面入出金部を用いた場合の出金紙幣の一時保留動作を示す説明図
【図２７】実施例３の後面入出金部を用いた場合の出金動作を示す説明図
【発明を実施するための形態】
【００１１】
以下に、図面を参照して本発明による紙幣入出金機の実施例について説明する。
【実施例１】
【００１２】
図１、図２において、１は現金処理装置であり、ガソリンスタンドやスーパーマーケット等の小売業の施設に設置された両面取扱型の現金処理装置であって、装置の前面および後面からそれぞれ操作を行う利用者に対して、個別に現金（紙幣および硬貨）の入出金を行う機能を有している。
【００１３】
本実施例の現金処理装置１は、図２に示すように、ガソリンスタンドの給油装置２に装備されているガソリン代等の代金の自動精算機である。
【００１４】
３は現金処理装置１の主制御部であり、現金処理装置１内の各部を制御して現金の入出金処理等を実行する機能を有している。
【００１５】
４は現金処理装置１の主記憶部であり、主制御部３が実行するプログラムやそれに用いる各種のデータおよび主制御部３による処理結果等が格納される。
【００１６】
５ａ、５ｂは操作表示部であり、ＬＣＤ等の表示画面とタッチパネル等の入力手段との組合せで構成されており、表示画面に利用者に対する操作案内等を表示した誘導画面や、入金取引における入金金額を表示した金額確認画面等の各種の画面を表示する他、入力手段により利用者からの選択入力等を受付ける。
【００１７】
６ａ、６ｂはカード取扱部としてのクレジットカード取扱部であり、挿入された利用者のクレジットカードの磁気ストライプやＩＣチップ等に記録されている利用者ＩＤ等のカード情報を読み書きする機能を有すると共に、レシート等に取引内容等を印刷して排出する機能等を有している。
【００１８】
７ａ、７ｂはカード取扱部としてのプリペイドカード取扱部であり、挿入された利用者のプリペイドカードの磁気層やＩＣチップ等に記録されている利用者の残高情報等を読み書きする機能等を有している。
【００１９】
８は硬貨入出金機であり、利用者が投入した硬貨を受入れ、これを鑑別および計数して収納し、利用者に支払う硬貨（本実施例では、釣銭）を計数して利用者に引渡す機能等を有している。なお図２における図示は省略してある。
【００２０】
９は紙幣入出金機であり、利用者が投入した紙幣Ｐを受入れ、これを鑑別および計数して収納し、利用者に支払う紙幣Ｐ（本実施例では、釣銭）を計数して利用者に引渡す機能等を有しており、以下に示す構成を備えている。
【００２１】
図３、図４において、１１は紙幣入出金機９の制御部であり、主制御部３からの各種の指令を基に、紙幣入出金機９内の各部を制御して、紙幣Ｐの取込処理や収納処理、出金処理等の紙幣処理等を実行する機能を有している。
【００２２】
１２は紙幣入出金機９の記憶部であり、制御部１１が実行するプログラムやそれに用いる各種のデータおよび制御部１１による処理結果等が格納される。
【００２３】
１３は前面入出金部であり、紙幣入出金機９の前面側に設けられ、前面に開口する入出金口１３ａと、入出金口１３ａから投入された紙幣Ｐを１枚毎に分離して繰出すと共に利用者に引渡す出金紙幣や返却紙幣等を集積する分離集積機構１３ｂと、投入された紙幣Ｐおよび分離集積機構１３ｂから放出された紙幣Ｐを集積する図示しない昇降機構が設けられたステージ１３ｃと、利用者からの紙幣Ｐの投入時および利用者への紙幣Ｐの引渡し時等に入出金口１３ａを開閉するシャッタ１３ｄ等を備えている。
【００２４】
１４は後面入出金部であり、紙幣入出金機９の前面と反対側の後面側に設けられ、後面に開口する入出金口１４ａと、入出金口１４ａから投入された紙幣Ｐを１枚毎に分離して繰出すと共に利用者に引渡す出金紙幣や返却紙幣等を集積する分離集積機構１４ｂと、投入された紙幣Ｐおよび分離集積機構１４ｂから放出された紙幣Ｐを集積する図示しない昇降機構が設けられたステージ１４ｃと、利用者からの紙幣Ｐの投入時および利用者への紙幣Ｐの引渡し時等に入出金口１４ａを開閉するシャッタ１４ｄ等を備えている。
【００２５】
１５は鑑別部であり、搬送された紙幣Ｐに対する各種の鑑別を行う機能、つまり紙幣Ｐの真偽や正損、金種等を識別する機能、および紙幣Ｐの折れや破れ、テープ貼付等のジャム誘発券を検出する機能、並びに重送や連鎖等の搬送異常を検出する機能を有し、その鑑別結果を制御部１１へ送出する機能等を有している。
【００２６】
１６ａ〜１６ｃは紙幣収納部であり、確定された入金紙幣を出金に用いて循環使用する紙幣Ｐを、または出金には用いない紙幣Ｐを、設定された金種に応じて収納する収納部であって、それぞれ収納されている紙幣Ｐを１枚毎に分離して繰出すと共に搬送された紙幣Ｐを集積する分離集積機構１７と、分離集積機構１７から放出された紙幣Ｐを集積する図示しない昇降機構が設けられたステージ１８等を備えている。
【００２７】
本実施例の紙幣収納部１６ａ、１６ｂには、釣銭金種として設定され、釣銭として循環使用する千円紙幣（千券という。）および５千円紙幣（５千券という。）がそれぞれ金種別に収納され、紙幣収納部１６ｃには、釣銭としては用いない非釣銭金種として設定された１万円紙幣（万券という。）および２千円紙幣（２千券という。）を混在させて収納される。
【００２８】
１９は出金リジェクト部であり、出金処理時に紙幣収納部１６ａ、１６ｂから繰出され、鑑別部１５により重送等の搬送異常と鑑別された紙幣Ｐを収納する収納部であって、搬送された紙幣Ｐを集積する集積機構１９ａを備えている。
【００２９】
２０は搬送路であり、ローラ対および／もしくはベルト対で紙幣Ｐを挟持して搬送する搬送路であって、上記の各部の間を接続して紙幣Ｐを搬送するために複数（本実施例では、入出金部搬送路２０ａ、２０ｂ、収納搬送路２０ｃ、リジェクト搬送路２０ｄの４つ）設けられている。
【００３０】
また、搬送路２０の各分岐部には、図示しない切替ブレード等により紙幣Ｐの搬送方向を切替える切替機構が設けられている。
【００３１】
入出金部搬送路２０ａは、前面入出金部１３の分離集積機構１３ｂと鑑別部１５との間を一直線に接続する搬送路であって、正逆両方向に紙幣Ｐを搬送するように構成されている。
【００３２】
入出金部搬送路２０ｂは、後面入出金部１４の分離集積機構１４ｂと鑑別部１５との間を一直線に接続する搬送路であって、正逆両方向に紙幣Ｐを搬送するように構成されている。
【００３３】
これらの入出金部搬送路２０ａ、２０ｂにより本実施例の入出金部間搬送路が構成され、図４に示すように、入出金部間搬送路の途中（本実施例では、中央部）に鑑別部１５が配置された、前面入出金部１３と後面入出金部１４との間を一直線に接続する搬送路が形成される。
【００３４】
収納搬送路２０ｃは、後面入出金部１４と鑑別部１５との間の入出金部搬送路２０ｂの途中から分岐して各紙幣収納部１６に至る搬送路であって、正逆両方向に紙幣Ｐを搬送するように構成されている。
【００３５】
リジェクト搬送路２０ｄは、前面入出金部１３と鑑別部１５との間から分岐して出金リジェクト部１９に至る搬送路であって、出金時のリジェクト紙幣（出金リジェクト紙幣という。）を搬送する。
【００３６】
上記の現金処理装置１の主記憶部４には、予め利用者との間で代金の入金や釣銭の出金等の支払取引処理等を行う機能を有する取引処理プログラムが格納されており、主制御部３が実行する取引処理プログラムのステップにより本実施例の現金処理装置１の各機能手段が形成される。
【００３７】
本実施例の紙幣入出金機９の記憶部１２には、主制御部３からの指令を基に、紙幣Ｐの支払取引処理における紙幣Ｐの入金処理や出金処理等の紙幣処理を実行する機能を有する紙幣処理プログラムが予め格納されており、制御部１１が実行する紙幣処理プログラムのステップにより本実施例の紙幣入出金機９の各機能手段が形成される。
【００３８】
また、記憶部１２には、各紙幣収納部１６に対応させて上記した収納すべき金種を設定した収納金種設定情報が予め設定されて格納される他、各紙幣収納部１６に収納されている紙幣Ｐの収納枚数を紙幣収納部１６別にカウントするための収納枚数カウントエリア、入金取引時に取込んだ紙幣Ｐを金種別にカウントするための取込紙幣カウントエリア、入金取引時に取込んだ紙幣Ｐを各紙幣収納部１６に仮収納した場合に、その紙幣収納部１６別の枚数および金種別の枚数をカウントするための保留紙幣カウントエリア等が予め確保されている。
【００３９】
上記の構成の作用について説明する。
【００４０】
金融機関等の店舗の係員が、始業時等に現金処理装置１へ電源を投入すると、現金処理装置１の主記憶部４に格納されている取引処理プログラム、および紙幣入出金機９の記憶部１２に格納されている紙幣処理プログラムが自動的に起動される。
【００４１】
取引処理プログラムが起動すると、現金処理装置１の主制御部３は、前面入出金部１３および後面入出金部１４のシャッタ１３ｄ、１４ｄを閉鎖した状態で、各操作表示部５ａ、５ｂの表示画面に図１１（ａ）に示す支払方法選択画面を表示して待機する。
【００４２】
支払方法選択画面には、代金をクレジットカードで支払うための「クレジットカード」ボタン、代金をプリペイドカードで支払うための「プリペイドカード」ボタン、代金を現金で支払うための「現金」ボタン等の支払方法を選択するための選択ボタン等が表示され、利用者は、代金をクレジットカードで支払うときは「クレジットカード」ボタンを、代金をプリペイドカードで支払うときは「プリペイドカード」ボタンを、代金を現金で支払うときは「現金」ボタンを押下する。
【００４３】
まず、利用者が前面側の操作表示部５ａから「現金」ボタンを押下した場合における本実施例の前面入出金部１３を用いた支払取引処理について、図５および図６を用いて説明する。
【００４４】
利用者が前面側の操作表示部５ａから「現金」ボタンを押下すると、操作表示部５ａの入力手段からの信号を検知した主制御部３は、信号が出力された側によって利用者が支払方法を選択した側（本説明では、前面側）を検出してこれを取扱側と認識すると共に、入力手段からの表示位置の信号によって現金支払が選択されたことを認識し、認識した側の入出金部（本説明では、前面入出金部１３）を用いた支払取引処理を開始する。
【００４５】
支払取引処理を開始した主制御部３は、取扱側と反対側（本説明では、後面側）の操作表示部５ｂの表示画面に、現金による支払を停止している旨の文言を表示した図１１（ｂ）に示す支払方法表示画面を表示して、非取扱側の後面入出金部１４による支払取引処理の受付を停止すると共に、紙幣入出金機９の制御部１１へ、取扱側の入出金部（本説明では、前面入出金部１３）を指定した入金処理指令を送信する。
【００４６】
主制御部３からの処理指令等の着信を待って待機していた紙幣入出金機９の制御部１１は、入金処理指令を受信したときに入金処理を開始し、指定された側、つまり前面側の前面入出金部１３のシャッタ１３ｄを開作動させて入出金口１３ａを開放し、利用者が前面入出金部１３の入出金口１３ａから紙幣Ｐを投入すると、これを検知した制御部１１は、所定の時間の経過後にシャッタ１３ｄを閉作動させて入出金口１３ａを閉鎖し、投入された紙幣Ｐの入金処理における取込処理を開始する。
【００４７】
取込処理を開始した制御部１１は、前面入出金部１３のステージ１３ｃを上昇させて投入された紙幣Ｐを分離集積機構１３ｂのピックアップローラに押圧し、分離集積機構１３ｂを繰出方向へ回転させ、前面入出金部１３の紙幣Ｐを１枚毎に分離して入出金部搬送路２０ａへ繰出し、前面入出金部１３側の入出金部搬送路２０ａ（図５に太い実線で示す前面入出金部１３と鑑別部１５との間の搬送経路参照）によって鑑別部１５へ搬送し、鑑別部１５によって当該紙幣Ｐの真偽や金種、および紙幣Ｐの折れや破れ、テープ貼付の有無、搬送異常の有無等を鑑別する。
【００４８】
当該紙幣Ｐを鑑別した制御部１１は、その鑑別結果が、真券である場合は、鑑別された金種を基に、記憶部１２の収納金種設定情報を参照して搬送先の紙幣収納部１６を特定し、後面入出金部１４側の入出金部搬送路２０ｂおよび収納搬送路２０ｃによって、当該紙幣Ｐを特定した紙幣収納部１６、つまり紙幣収納部１６ａ〜１６ｃに搬送し、その分離集積機構１７によりステージ１８上に集積して仮収納する（図５に太い実線で示す搬送経路参照）と共に、記憶部１２の保留紙幣カウントエリアによって仮収納した紙幣Ｐの紙幣収納部１６別の枚数および金種別の枚数を計数し、全ての投入紙幣を紙幣収納部１６に仮収納したときに取込処理を終了させ、保留紙幣カウントエリアにより計数された金種別の枚数に基づいて取込まれた紙幣Ｐの合計金額を演算し、その合計金額等を添付した取込終了通知を主制御部３へ送信する。
【００４９】
このように、本実施例の前面入出金部１３を用いた入金処理においては、各紙幣収納部１６が、一時保留部、つまり利用者が投入した紙幣Ｐをそのまま利用者に返却するための取込紙幣の集積部として機能する。
【００５０】
取込終了通知を受信した主制御部３は、操作表示部５ａの表示画面に、取込終了通知の合計金額等や、入金金額の確定を指示するための「確認」ボタン、投入した紙幣Ｐの返却を指示するための「返却」ボタン等を表示した入金金額確認画面を表示する。
【００５１】
利用者は入金金額が正しいことを確認したときは「確認」ボタンを、投入した紙幣Ｐの返却を指示するときは「返却」ボタンを押下する。
【００５２】
主制御部３は、利用者が「確認」ボタンを押下したことを認識した場合は、入金金額が確定されたと判定して、制御部１１へ入金処理における収納処理指令を送信する。
【００５３】
また、主制御部３は、利用者が「返却」ボタンを押下したことを認識した場合は、制御部１１へ入金処理における返却処理指令を送信する。
【００５４】
取込終了通知の送信後に、主制御部３からの収納処理指令または返却処理指令の着信を待って待機していた制御部１１は、主制御部３からの収納処理指令を受信した場合は、各紙幣収納部１６に仮収納した紙幣Ｐをそのまま残留させ、記憶部１２の保留紙幣カウントエリアにより計数された紙幣収納庫１６別の枚数を、収納枚数カウントエリアのカウント数にそれぞれ加えて紙幣収納部１６別の収納枚数を更新し、保留紙幣カウントエリアのカウント数を「０」に初期化し、収納終了通知を主制御部３へ送信して入金処理を終了させる。
【００５５】
収納終了通知を受信した主制御部３は、操作表示部５ａ、５ｂの表示画面にそれぞれ図１１（ａ）に示す支払方法選択画面を表示して後面入出金部１４による支払取引処理の受付停止を解除し、利用者が給油を終了させるのを待って待機する。
【００５６】
また、返却処理指令を受信した制御部１１は、記憶部１２の保留紙幣カウントエリアを参照して、仮収納した紙幣Ｐの紙幣収納部１６別の仮収納枚数を認識し、収納金種設定情報を参照しながら、各紙幣収納部１６、つまり紙幣収納部１６ａ〜１６ｃから認識した仮収納枚数分の紙幣Ｐを順次に繰出し、保留紙幣カウントエリアの紙幣収納部１６別の仮収納枚数を順次に減算しながら、収納搬送路２０ｃ、後面入出金部１４側の入出金部搬送路２０ｂ、鑑別部１５、前面入出金部１３側の入出金部搬送路２０ａによって、前面入出金部１３へ搬送し、その分離集積機構１３ｂによって下降させたステージ１３ｃ上に集積し、保留紙幣カウントエリアの仮収納枚数が全て「０」、つまり紙幣収納部１６を一時保留部として機能させ、そこに仮収納した紙幣Ｐを全て搬送元の前面入出金部１３へ集積したときに、保留紙幣カウントエリアの金種別の枚数を「０」に初期化し、取扱側の前面入出金部１３に返却紙幣を集積した旨を添付した返却紙幣集積通知を主制御部３へ送信すると共にシャッタ１３ｄを開作動させて入出金口１３ａを開放する。
【００５７】
返却紙幣集積通知を受信した主制御部３は、紙幣Ｐを返却する旨の文言を表示した紙幣返却画面を操作表示部５ａの表示画面に表示する。
【００５８】
そして、制御部１１は、利用者が前面入出金部１３内の返却紙幣を取出したことを確認しシャッタ１３ｄを閉作動させて入出金口１３ａを閉鎖し、主制御部３へ返却終了通知を送信して入金処理を終了させる。
【００５９】
返却終了通知を受信した主制御部３は、支払取引処理を終了させ、操作表示部５ａ、５ｂの表示画面にそれぞれ図１１（ａ）に示す支払方法選択画面を表示して後面入出金部１４による支払取引処理の受付停止を解除し、利用者による選択ボタンの押下を待って待機する。
【００６０】
上記した取込処理の実行中に、鑑別部１５で鑑別した当該紙幣Ｐの鑑別結果が、偽券や外国紙幣、旧紙幣等のために金種不明と鑑別された紙幣Ｐ、折れや破れ、テープ貼付の過度の存在によってジャム誘発券と鑑別された紙幣Ｐ、および重送等による搬送異常と鑑別された紙幣Ｐの場合は、これを入金時のリジェクト紙幣（入金リジェクト紙幣という。）として当該紙幣Ｐを利用者に返却するために、入出金部搬送路２０ａを逆転させて前記の逆方向、つまり鑑別部１５から搬送元の前面入出金部１３の方向へ搬送し（繰出済みの後続紙幣を含む。）、分離集積機構１３ｂによって下降させたステージ１３ｃ上に集積する。
【００６１】
このとき、本実施例の入出金部搬送路２０ａは、鑑別部１５と前面入出金部１３との間を一直線にして最短距離で接続しているので、当該紙幣Ｐがジャム誘発券であったとしても、鑑別部１５への搬送時やその逆方向への搬送時に紙幣ジャム等の搬送障害が発生することはなく、当該ジャム誘発券を正常に搬送し前面入出金部１３に集積して利用者に返却することが可能になる。
【００６２】
また、投入された紙幣にジャム誘発券が含まれていたとしても、直線かつ最短距離で接続した入出金部搬送路２０ａによって、当該ジャム誘発券を取込処理の初期段階で予め除去するので、その後の紙幣収納部１６等への搬送経路に曲り部が存在したとしても、ジャム紙幣等の搬送障害の発生を防止することができ、紙幣収納部１６等への搬送経路の自由度を向上させて、紙幣入出金機９の小型化を図ることができる。
【００６３】
入金リジェクト紙幣を前面入出金部１３に集積した制御部１１は、当該紙幣Ｐの鑑別結果を添付した入金リジェクト紙幣返却通知を主制御部３へ送信すると共にシャッタ１３ｄを開作動させて入出金口１３ａを開放する。
【００６４】
入金リジェクト紙幣返却通知を受信した主制御部３は、図１２に示すリジェクト紙幣返却画面を操作表示部５ａの表示画面に表示する。
【００６５】
リジェクト紙幣返却画面には、チェックボックスに対応させてリジェクト紙幣の種類および返却後の処置等が記載されており、主制御部３は添付された鑑別結果が、折れや重送等の場合は、図１２（ａ）に示すように、上側のチェックボックスにレ点を付し、その記載内容を枠で囲って強調表示したリジェクト紙幣返却画面を表示する。
【００６６】
他の鑑別結果の場合は、図１２（ｂ）に示すように、下側のチェックボックスにレ点を付し、その記載内容を枠で囲って強調表示したリジェクト紙幣返却画面を表示する。
【００６７】
入金リジェクト紙幣返却通知の送信後に、制御部１１は紙幣Ｐの再投入を待って待機し、紙幣Ｐの取出し後に再び紙幣Ｐの投入を検知したときに、取込再開通知を主制御部３へ送信し、シャッタ１３ｄを閉作動させ入出金口１３ａを閉鎖して紙幣Ｐの取込処理を再開させる。取込再開通知を受信した主制御部３は支払取引処理を継続させる。
【００６８】
一方、確定された入金紙幣の紙幣収納庫１６への収納後に、利用者が給油を終了させるのを待って待機していた現金処理装置１の主制御部３は、給油装置２またはＰＯＳ端末等の上位装置から代金（本実施例では、ガソリン代等）を添付した代金精算要求を受信すると、取扱側と反対側（本説明では、後面側）の操作表示部５ｂの表示画面に図１１（ｂ）に示す支払方法表示画面を表示して、非取扱側の後面入出金部１４による支払取引処理の受付を停止すると共に、上記で確定された入金金額から代金精算要求の代金を減じて釣銭額を算出し、釣銭の出金が必要な場合は出金取引処理を開始し、紙幣入出金機９の制御部１１へ釣銭額を添付した出金処理指令を送信する。
【００６９】
出金処理指令を受信した制御部１１は、出金処理を開始して出金処理指令の釣銭額を構成する金種別の内訳枚数を算出し、記憶部１２の収納金種設定情報を参照して各紙幣収納部１６、つまり釣銭金種の紙幣Ｐが収納されている紙幣収納部１６ａ、１６ｂから算出した内訳枚数分の紙幣Ｐを順次に繰出し、収納紙幣カウントエリアの紙幣収納部１６別の収納枚数を順次に減算しながら、収納搬送路２０ｃ、後面入出金部１４側の入出金部搬送路２０ｂにより鑑別部１５へ搬送し（図６に太い実線で示す搬送経路参照）、鑑別部１５によって当該出金紙幣の真偽や金種、搬送異常の有無等を鑑別する。
【００７０】
当該出金紙幣を鑑別した制御部１１は、その鑑別結果が真券である場合は、鑑別された金種を基に出金金額を計数しながら、前面入出金部１３側の入出金部搬送路２０ａ（図６に太い実線で示す鑑別部１５と前面入出金部１３との間の搬送経路参照）によって、取扱側の前面入出金部１３へ搬送し、その分離集積機構１３ｂによって下降させたステージ１３ｃ上に集積する。
【００７１】
また、当該出金紙幣の鑑別結果が、重送等による搬送異常と鑑別された出金リジェクト紙幣の場合は、これを入出金部搬送路２０ａ、リジェクト搬送路２０ｄ（図６に太い実線で示す鑑別部１５と出金リジェクト部１９との間の搬送経路参照）によって、出金リジェクト部１９へ搬送し、その集積機構１９ａによって出金リジェクト部１９内に収納する。
【００７２】
そして、鑑別部１５で鑑別、計数した出金金額が釣銭額と一致したときに、取扱側の前面入出金部１３に出金紙幣を集積した旨を添付した出金紙幣集積通知を主制御部３へ送信すると共にシャッタ１３ｄを開作動させて入出金口１３ａを開放する。
【００７３】
出金紙幣集積通知を受信した主制御部３は、釣銭の紙幣Ｐを返却する旨の文言を表示した釣銭返却画面を操作表示部５ａの表示画面に表示する。
【００７４】
そして、制御部１１は、利用者が前面入出金部１３内の釣銭の紙幣Ｐを取出したことを確認しシャッタ１３ｄを閉作動させて入出金口１３ａを閉鎖し、主制御部３へ釣銭返却終了通知を送信し、出金処理を終了させる。
【００７５】
釣銭返却終了通知を受信した主制御部３は、支払取引処理を終了させ、操作表示部５ａ、５ｂの表示画面にそれぞれ図１１（ａ）に示す支払方法選択画面を表示して後面入出金部１４による支払取引処理の受付停止を解除し、利用者による選択ボタンの押下を待って待機する。
【００７６】
このようにして、前面入出金部１３を用いた本実施例の支払取引処理が実行される。
【００７７】
次に、利用者が後面側の操作表示部５ｂから「現金」ボタンを押下した場合における本実施例の後面入出金部１４を用いた支払取引処理について、図７ないし図１０を用いて説明する。
【００７８】
利用者が後面側の操作表示部５ｂから「現金」ボタンを押下すると、操作表示部５ｂの入力手段からの信号を検知した主制御部３は、信号が出力された側によって利用者が支払方法を選択した側（本説明では、後面側）を検出してこれを取扱側と認識すると共に、入力手段からの表示位置の信号によって現金支払が選択されたことを認識し、認識した側の入出金部（本説明では、後面入出金部１４）を用いた支払取引処理を開始する。
【００７９】
支払取引処理を開始した主制御部３は、取扱側と反対側（本説明では、前面側）の操作表示部５ｂの表示画面に、現金による支払を停止している旨の文言を表示した図１１（ｂ）に示す支払方法表示画面を表示して、非取扱側の前面入出金部１３による支払取引処理の受付を停止すると共に、紙幣入出金機９の制御部１１へ、取扱側の入出金部（本説明では、後面入出金部１４）を指定した入金処理指令を送信する。
【００８０】
主制御部３からの処理指令等の着信を待って待機していた紙幣入出金機９の制御部１１は、入金処理指令を受信したときに入金処理を開始し、指定された側、つまり後面側の後面入出金部１４のシャッタ１４ｄを開作動させて入出金口１４ａを開放し、利用者が後面入出金部１４の入出金口１４ａから紙幣Ｐを投入すると、これを検知した制御部１１は、所定の時間の経過後にシャッタ１４ｄを閉作動させて入出金口１４ａを閉鎖し、投入された紙幣Ｐの入金処理における取込処理を開始する。
【００８１】
取込処理を開始した制御部１１は、後面入出金部１４のステージ１４ｃを上昇させて投入された紙幣Ｐを分離集積機構１４ｂのピックアップローラに押圧し、分離集積機構１４ｂを繰出方向へ回転させ、後面入出金部１４の紙幣Ｐを１枚毎に分離して入出金部搬送路２０ｂへ繰出し、後面入出金部１４側の入出金部搬送路２０ｂ（図７に太い実線で示す後面入出金部１４と鑑別部１５との間の搬送経路参照）によって鑑別部１５へ搬送し、鑑別部１５によって当該紙幣Ｐの真偽や金種、および紙幣Ｐの折れや破れ、テープ貼付の有無、搬送異常の有無等を鑑別する。
【００８２】
当該紙幣Ｐを鑑別した制御部１１は、その鑑別結果が真券である場合は、前面入出金部１３側の入出金部搬送路２０ａ（図７に太い実線で示す鑑別部１５と前面入出金部１３との間の搬送経路参照）によって、当該紙幣Ｐを前面入出金部１３へ搬送し、その分離集積機構１３ｂによって下降させたステージ１３ｃ上に集積し、鑑別結果の金種を基に、記憶部１２の取込紙幣カウントエリアによって集積した紙幣Ｐの金種別の枚数を計数し、全ての投入紙幣を前面入出金部１３に集積したときに取込処理を終了させ、取込紙幣カウントエリアにより計数された金種別の枚数に基づいて取込まれた紙幣Ｐの合計金額を演算し、その合計金額等を添付した取込終了通知を主制御部３へ送信する。
【００８３】
このように、本実施例の後面入出金部１４を用いた入金処理においては、シャッタ１３ｄを設けた前面入出金部１３が、一時保留部として機能する。
【００８４】
取込終了通知を受信した主制御部３は、上記前面入出金部１３を用いた場合の取込終了通知の受信時と同様にして、操作表示部５ｂの表示画面に入金金額確認画面を表示し、利用者が「確認」ボタンを押下したことを認識した場合は、入金金額が確定されたと判定して、制御部１１へ入金処理における収納処理指令を送信する。
【００８５】
また、主制御部３は、利用者が「返却」ボタンを押下したことを認識した場合は、制御部１１へ入金処理における返却処理指令を送信する。
【００８６】
取込終了通知の送信後に、主制御部３からの収納処理指令または返却処理指令の着信を待って待機していた制御部１１は、主制御部３からの収納処理指令を受信した場合は、前面入出金部１３のステージ１３ｃを上昇させ、その分離集積機構１３ｂによって前面入出金部１３に集積された紙幣Ｐを１枚毎に分離して入出金部搬送路２０ａへ繰出し、前面入出金部１３側の入出金部搬送路２０ａ（図８に太い実線で示す前面入出金部１３と鑑別部１５との間の搬送経路参照）によって鑑別部１５へ搬送し、鑑別部１５によって当該紙幣Ｐの金種等を鑑別し、鑑別された金種を基に、記憶部１２の収納金種設定情報を参照して搬送先の紙幣収納部１６を特定し、後面入出金部１４側の入出金部搬送路２０ｂおよび収納搬送路２０ｃによって、当該紙幣Ｐを特定した紙幣収納部１６、つまり紙幣収納部１６ａ〜１６ｃに搬送し、その分離集積機構１７によりステージ１８上に集積して収納する（図８に太い実線で示す搬送経路参照）と共に、記憶部１２の収納枚数カウントエリアによって収納した紙幣Ｐの枚数を紙幣収納部１６別に計数し、一時保留部として機能させた前面入出金部１３に集積した紙幣Ｐを全て紙幣収納部１６へ収納したときに、取込紙幣カウントエリアのカウント数を「０」に初期化し、収納終了通知を主制御部３へ送信して入金処理を終了させる。
【００８７】
収納終了通知を受信した主制御部３は、操作表示部５ｂ、５ａの表示画面にそれぞれ図１１（ａ）に示す支払方法選択画面を表示して前面入出金部１３による支払取引処理の受付停止を解除し、利用者が給油を終了させるのを待って待機する。
【００８８】
また、返却処理指令を受信した制御部１１は、前面入出金部１３のステージ１３ｃを上昇させ、その分離集積機構１３ｂによって前面入出金部１３に集積されている紙幣Ｐを１枚毎に分離して入出金部搬送路２０ａへ繰出し、前面入出金部１３側の入出金部搬送路２０ａ、鑑別部１５、後面入出金部１４側の入出金部搬送路２０ｂを経由した搬送経路によって、取扱側の後面入出金部１４へ搬送し、その分離集積機構１４ｂによって下降させたステージ１４ｃ上に集積し、一時保留部として機能させた前面入出金部１３に集積した紙幣Ｐを全て後面入出金部１４へ集積したときに、取込紙幣カウントエリアの金種別の枚数を「０」に初期化し、取扱側の後面入出金部１４に返却紙幣を集積した旨を添付した返却紙幣集積通知を主制御部３へ送信すると共にシャッタ１４ｄを開作動させて入出金口１４ａを開放する。
【００８９】
返却紙幣集積通知を受信した主制御部３は、紙幣Ｐを返却する旨の文言を表示した紙幣返却画面を操作表示部５ｂの表示画面に表示する。
【００９０】
そして、制御部１１は、利用者が後面入出金部１４内の返却紙幣を取出したことを確認しシャッタ１４ｄを閉作動させて入出金口１４ａを閉鎖し、主制御部３へ返却終了通知を送信して入金処理を終了させる。
【００９１】
返却終了通知を受信した主制御部３は、支払取引処理を終了させ、操作表示部５ａ、５ｂの表示画面にそれぞれ図１１（ａ）に示す支払方法選択画面を表示して前面入出金部１３による支払取引処理の受付停止を解除し、利用者による選択ボタンの押下を待って待機する。
【００９２】
上記した取込処理の実行中に、鑑別部１５で鑑別した当該紙幣Ｐの鑑別結果が、入金リジェクト紙幣の場合は、その入金リジェクト紙幣を利用者に返却するために、入出金部搬送路２０ｂを逆転させて前記の逆方向、つまり鑑別部１５から搬送元の後面入出金部１４の方向へ搬送し、分離集積機構１４ｂによって下降させたステージ１４ｃ上に集積する。
【００９３】
このとき、本実施例の入出金部搬送路２０ｂは、鑑別部１５と後面入出金部１４との間を一直線にして最短距離で接続しているので、当該紙幣Ｐがジャム誘発券であったとしても、鑑別部１５への搬送時やその逆方向への搬送時に紙幣ジャム等の搬送障害が発生することはなく、当該ジャム誘発券を正常に搬送して後面入出金部１４に集積して利用者に返却することが可能になる。
【００９４】
また、投入された紙幣にジャム誘発券が含まれていたとしても、一直線かつ最短距離で接続した入出金部搬送路２０ｂによって、当該ジャム誘発券を取込処理の初期段階で予め除去するので、その後の紙幣収納部１６等への搬送経路に曲り部が存在したとしても、ジャム紙幣等の搬送障害の発生を防止することができ、紙幣収納部１６等への搬送経路の自由度を向上させて、紙幣入出金機９の小型化を図ることができる。
【００９５】
入金リジェクト紙幣を後面入出金部１４に集積した制御部１１は、当該紙幣Ｐの鑑別結果を添付した入金リジェクト紙幣返却通知を主制御部３へ送信すると共にシャッタ１４ｄを開作動させて入出金口１４ａを開放する。
【００９６】
入金リジェクト紙幣返却通知を受信した主制御部３は、上記前面入出金部１３を用いた場合の入金リジェクト紙幣の返却時と同様にして、図１２に示すリジェクト紙幣返却画面を操作表示部５ｂの表示画面に表示する。
【００９７】
入金リジェクト紙幣返却通知の送信後に、制御部１１は紙幣Ｐの再投入を待って待機し、紙幣Ｐの取出し後に再び紙幣Ｐの投入を検知したときに、取込再開通知を主制御部３へ送信し、シャッタ１４ｄを閉作動させ入出金口１４ａを閉鎖して紙幣Ｐの取込処理を再開させる。取込再開通知を受信した主制御部３は支払取引処理を継続させる。
【００９８】
一方、確定された入金紙幣の紙幣収納庫１６への収納後に、利用者が給油を終了させるのを待って待機していた現金処理装置１の主制御部３は、上位装置から代金を添付した代金精算要求を受信すると、取扱側と反対側（本説明では、前面側）の操作表示部５ａの表示画面に図１１（ｂ）に示す支払方法表示画面を表示して、非取扱側の後面入出金部１４による支払取引処理の受付を停止すると共に、上記前面入出金部１３を用いた場合の出金取引処理と同様にして、紙幣入出金機９の制御部１１へ、釣銭額を添付した出金処理指令を送信する。
【００９９】
出金処理指令を受信した制御部１１は、出金処理を開始して出金処理指令の釣銭額を構成する金種別の内訳枚数を算出し、記憶部１２の収納金種設定情報を参照して各紙幣収納部１６、つまり釣銭金種の紙幣Ｐが収納されている紙幣収納部１６ａ、１６ｂから算出した内訳枚数分の紙幣Ｐを順次に繰出し、収納紙幣カウントエリアの紙幣収納部１６別の収納枚数を順次に減算しながら、収納搬送路２０ｃ、後面入出金部１４側の入出金部搬送路２０ｂより鑑別部１５へ搬送し（図９に太い実線で示す搬送経路参照）、鑑別部１５によって当該出金紙幣の真偽や金種、搬送異常の有無等を鑑別する。
【０１００】
当該出金紙幣を鑑別した制御部１１は、その鑑別結果が真券である場合は、鑑別された金種を基に出金金額を計数しながら、前面入出金部１３側の入出金部搬送路２０ａ（図９に太い実線で示す鑑別部１５と前面入出金部１３との間の搬送経路参照）によって、前面入出金部１３へ搬送し、その分離集積機構１３ｂによって下降させたステージ１３ｃ上に集積する。
【０１０１】
また、当該出金紙幣の鑑別結果が、出金リジェクト紙幣の場合は、この出金リジェクト紙幣を入出金部搬送路２０ａ、リジェクト搬送路２０ｄ（図９に太い実線で示す鑑別部１５と出金リジェクト部１９との間の搬送経路参照）によって、出金リジェクト部１９へ搬送し、その集積機構１９ａによって出金リジェクト部１９内に収納する。
【０１０２】
そして、鑑別部１５で鑑別、計数した出金金額が釣銭額と一致したときに、前面入出金部１３への出金紙幣の集積を停止し、ステージ１３ｃを上昇させて分離集積機構１３ｂにより前面入出金部１３に集積されている出金紙幣を１枚毎に分離して繰出し、前面入出金部１３側の入出金部搬送路２０ａ、鑑別部１５、後面入出金部１４側の入出金部搬送路２０ｂを経由した搬送経路（図１０に太い実線で示す前面入出金部１３と後面入出金部１４との間の搬送経路参照）によって、取扱側の後面入出金部１４へ搬送し、その分離集積機構１４ｂによって下降させたステージ１４ｃ上に集積し、前面入出金部１３に集積した出金紙幣を全て後面入出金部１４へ集積したときに、取扱側の後面入出金部１４に出金紙幣を集積した旨を添付した出金紙幣集積通知を主制御部３へ送信すると共にシャッタ１４ｄを開作動させて入出金口１４ａを開放する。
【０１０３】
出金紙幣集積通知を受信した主制御部３は、釣銭の紙幣Ｐを返却する旨の文言を表示した釣銭返却画面を操作表示部５ｂの表示画面に表示する。
【０１０４】
そして、制御部１１は、利用者が後面入出金部１４内の釣銭の紙幣Ｐを取出したことを確認しシャッタ１４ｄを閉作動させて入出金口１４ａを閉鎖し、主制御部３へ釣銭返却終了通知を送信し、出金処理を終了させる。
【０１０５】
釣銭返却終了通知を受信した主制御部３は、支払取引処理を終了させ、操作表示部５ａ、５ｂの表示画面にそれぞれ図１１（ａ）に示す支払方法選択画面を表示して前面入出金部１３による支払取引処理の受付停止を解除し、利用者による選択ボタンの押下を待って待機する。
【０１０６】
このようにして、後面入出金部１４を用いた本実施例の支払取引処理が実行される。
【０１０７】
上記のように、本実施例の紙幣入出金機９においては、前面入出金部１３と鑑別部１５との間、後面入出金部１４と鑑別部１５との間をそれぞれ一直線の入出金部搬送路２０ａ、２０ｂで接続し、前面入出金部１３または後面入出金部１４から入出金部搬送路２０ａまたは２０ｂによって鑑別部１５へ搬送され、鑑別部１５で入金リジェクト紙幣と鑑別された紙幣Ｐを、入出金部搬送路２０ａまたは２０ｂを逆方向に搬送して、それぞれ搬送元の入出金部へ返却するので、前面入出金部１３と鑑別部１５との間、後面入出金部１４と鑑別部１５との間を、それぞれ直線かつ最短距離にして接続することができ、投入された紙幣にジャム誘発券が含まれていたとしても、鑑別部１５への搬送時やその逆方向への搬送時に紙幣ジャム等の搬送障害が発生することはなく、当該ジャム誘発券を正常に搬送して前面入出金部１３または後面入出金部１４に集積して利用者に返却することができると共に、当該ジャム誘発券を投入紙幣の取込処理の初期段階で予め除去することができ、その後の紙幣収納部１６等への搬送経路における曲り部の存在を許容して紙幣入出金機９の小型化を図ることができる。
【０１０８】
また、前面入出金部１３に、その入出金口１３ａを開閉するシャッタ１３ｄを設け、後面入出金部１４に、紙幣Ｐが投入された場合に、前面入出金部１３のシャッタ１３ｄを閉鎖して前面入出金部１３を一時保留部として機能させるので、後面入出金部１４を用いた取込処理における一時保留部を別に設ける必要がなくなり、一時保留部の設置を省略して紙幣入出金機９の小型化を図ることができる。
【０１０９】
更に、後面入出金部１４と鑑別部１５との間の入出金部搬送路２０ｂから分岐して紙幣収納部１６に至る収納搬送路２０ｃを設け、前面入出金部１３に紙幣Ｐが投入された場合に、紙幣収納部１６を一時保留部として機能させるので、前面入出金部１３を用いた取込処理における一時保留部を別に設ける必要がなくなり、一時保留部の設置を省略して紙幣入出金機９の小型化を図ることができる。
【０１１０】
なお、紙幣収納部１６に至る収納搬送路２０ｃは、前面入出金部１３と鑑別部１５との間の入出金部搬送路２０ａから分岐させて設けた場合も同様である。
【０１１１】
以上説明したように、本実施例では、前面に配置された前面入出金部と、後面に配置された後面入出金部と、紙幣に対する各種の鑑別を行う鑑別部とを備えた紙幣入出金機において、前面入出金部と鑑別部との間、後面入出金部と鑑別部との間を、それぞれ一直線の入出金部搬送路で接続したことによって、前面入出金部と鑑別部との間、および後面入出金部と鑑別部との間を、それぞれ直線かつ最短距離にして接続することができ、投入された紙幣にジャム誘発券が含まれていたとしても、鑑別部への搬送時やその逆方向への搬送時における紙幣ジャム等の搬送障害の発生を防止して、両面取扱型の紙幣入出金機の信頼性を高めることができると共に、当該ジャム誘発券を投入紙幣の取込処理の初期段階で予め除去することができ、その後の紙幣収納部等への搬送経路における曲り部の存在を許容して紙幣入出金機の小型化を図ることができる。
【０１１２】
上記に加えて、前面入出金部および後面入出金部のいずれか一方の入出金部に、その入出金口を開閉するシャッタを設け、シャッタを設けた入出金部と反対側の他方の入出金部に、紙幣が投入された場合に、シャッタを設けた入出金部のシャッタを閉鎖して、当該入出金部を一時保留部として機能させるようにしたことによって、他方の入出金部を用いた取込処理における一時保留部を別に設ける必要がなくなり、一時保留部の設置を省略して紙幣入出金機の小型化を図ることができる。
【０１１３】
また、前面入出金部および後面入出金部のいずれか一方の入出金部と鑑別部との間の入出金部搬送路から分岐して紙幣収納部に至る収納搬送路を設け、他方の入出金部に紙幣が投入された場合に、紙幣収納部を一時保留部として機能させるようにしたことによって、他方の入出金部を用いた取込処理における一時保留部を別に設ける必要がなくなり、一時保留部の設置を省略して紙幣入出金機の小型化を図ることができる。
【実施例２】
【０１１４】
本実施例の説明においては、上記実施例１と同様の部分は、同一の符号を付してその説明を省略する。
【０１１５】
図１３において、２０ｅは入出金搬送路としての後面入出金搬送路であり、鑑別部１５の前面入出金部１３側の入出金部搬送路２０ａの途中から分岐して後面入出金部１４に至る搬送路であって、正逆両方向に紙幣Ｐを搬送するように構成されている。
【０１１６】
この後面入出金搬送路２０ｅによって、後面入出金部１４と紙幣収納部１６との間が直接的に接続される。
【０１１７】
本実施例の現金処理装置１の主記憶部４には、上記実施例１と同様の取引処理プログラムが格納されており、主制御部３が実行する取引処理プログラムのステップにより本実施例の現金処理装置１の各機能手段が形成される。
【０１１８】
本実施例の紙幣入出金機９の記憶部１２には、上記実施例１と同様の紙幣処理プログラムが予め格納されており、制御部１１が実行する紙幣処理プログラムのステップにより本実施例の紙幣入出金機９の各機能手段が形成される。
【０１１９】
また、記憶部１２には、上記実施例１と同様の収納金種設定情報が予め設定されて格納される他、上記実施例１と同様の収納枚数カウントエリア、取込紙幣カウントエリア等が予め確保されている。
【０１２０】
なお、本実施例では、保留紙幣カウントエリアは省略されている。
【０１２１】
上記の構成の作用について説明する。
【０１２２】
金融機関等の店舗の係員が、始業時等に現金処理装置１へ電源を投入すると、現金処理装置１の主記憶部４に格納されている取引処理プログラムおよび紙幣入出金機９の記憶部１２に格納されている紙幣処理プログラムが自動的に起動される。
【０１２３】
取引処理プログラムが起動すると、現金処理装置１の主制御部３は、上記実施例１と同様にして、各操作表示部５ａ、５ｂの表示画面に図１１（ａ）に示す支払方法選択画面を表示して待機し、利用者は支払方法に応じた選択ボタンを押下する。
【０１２４】
まず、利用者が前面側の操作表示部５ａから「現金」ボタンを押下した場合における本実施例の前面入出金部１３を用いた支払取引処理について、図１４ないし図１６を用いて説明する。
【０１２５】
利用者が前面側の操作表示部５ａから「現金」ボタンを押下すると、操作表示部５ａの入力手段からの信号を検知した主制御部３は、信号が出力された側によって利用者が支払方法を選択した側（本説明では、前面側）を検出してこれを取扱側と認識すると共に、入力手段からの表示位置の信号によって現金支払が選択されたことを認識し、認識した側の入出金部（本説明では、前面入出金部１３）を用いた支払取引処理を開始する。
【０１２６】
支払取引処理を開始した主制御部３は、取扱側と反対側（本説明では、後面側）の操作表示部５ｂの表示画面に、現金による支払を停止している旨の文言を表示した図１１（ｂ）に示す支払方法表示画面を表示して、非取扱側の後面入出金部１４による支払取引処理の受付を停止すると共に、紙幣入出金機９の制御部１１へ、取扱側の入出金部（本説明では、前面入出金部１３）を指定した入金処理指令を送信する。
【０１２７】
主制御部３からの処理指令等の着信を待って待機していた紙幣入出金機９の制御部１１は、入金処理指令を受信したときに入金処理を開始し、指定された側、つまり前面側の前面入出金部１３のシャッタ１３ｄを開作動させて入出金口１３ａを開放し、利用者が前面入出金部１３の入出金口１３ａから紙幣Ｐを投入すると、これを検知した制御部１１は、所定の時間の経過後にシャッタ１３ｄを閉作動させて入出金口１３ａを閉鎖し、投入された紙幣Ｐの入金処理における取込処理を開始する。
【０１２８】
取込処理を開始した制御部１１は、前面入出金部１３のステージ１３ｃを上昇させて投入された紙幣Ｐを分離集積機構１３ｂのピックアップローラに押圧し、分離集積機構１３ｂを繰出方向へ回転させ、前面入出金部１３の紙幣Ｐを１枚毎に分離して入出金部搬送路２０ａへ繰出し、前面入出金部１３側の入出金部搬送路２０ａ（図１４に太い実線で示す前面入出金部１３と鑑別部１５との間の搬送経路参照）によって鑑別部１５へ搬送し、鑑別部１５によって当該紙幣Ｐの真偽や金種、および紙幣Ｐの折れや破れ、テープ貼付の有無、搬送異常の有無等を鑑別する。
【０１２９】
当該紙幣Ｐを鑑別した制御部１１は、その鑑別結果が真券である場合は、後面入出金部１４側の入出金部搬送路２０ｂ（図１４に太い実線で示す鑑別部１５と後面入出金部１４との間の搬送経路参照）によって、当該紙幣Ｐを後面入出金部１４へ搬送し、その分離集積機構１４ｂによって下降させたステージ１４ｃ上に集積し、鑑別結果の金種を基に、記憶部１２の取込紙幣カウントエリアによって集積した紙幣Ｐの金種別の枚数を計数し、全ての投入紙幣を後面入出金部１４に集積したときに取込処理を終了させ、取込紙幣カウントエリアにより計数された金種別の枚数に基づいて取込まれた紙幣Ｐの合計金額を演算し、その合計金額等を添付した取込終了通知を主制御部３へ送信する。
【０１３０】
このように、本実施例の前面入出金部１３を用いた入金処理においては、後面入出金部１４が一時保留部として機能する。
【０１３１】
取込終了通知を受信した主制御部３は、上記実施例１の取込終了通知の受信時と同様にして、操作表示部５ａの表示画面に入金金額確認画面を表示し、利用者が「確認」ボタンを押下したことを認識した場合は、入金金額が確定されたと判定して、制御部１１へ入金処理における収納処理指令を送信する。
【０１３２】
また、主制御部３は、利用者が「返却」ボタンを押下したことを認識した場合は、制御部１１へ入金処理における返却処理指令を送信する。
【０１３３】
取込終了通知の送信後に、主制御部３からの収納処理指令または返却処理指令の着信を待って待機していた制御部１１は、主制御部３からの収納処理指令を受信した場合は、後面入出金部１４のステージ１４ｃを上昇させ、その分離集積機構１４ｂによって後面入出金部１４に集積された紙幣Ｐを１枚毎に分離して後面入出金搬送路２０ｅへ繰出し、後面入出金搬送路２０ｅ（図１５に太い実線で示す後面入出金部１４と鑑別部１５との間の搬送経路参照）によって鑑別部１５へ搬送し、鑑別部１５によって当該紙幣Ｐの金種等を鑑別し、鑑別された金種を基に、記憶部１２の収納金種設定情報を参照して搬送先の紙幣収納部１６を特定し、後面入出金部１４側の入出金部搬送路２０ｂおよび収納搬送路２０ｃによって、当該紙幣Ｐを特定した紙幣収納部１６、つまり紙幣収納部１６ａ〜１６ｃに搬送し、その分離集積機構１７によりステージ１８上に集積して収納する（図１５に太い実線で示す搬送経路参照）と共に、記憶部１２の収納枚数カウントエリアによって収納した紙幣Ｐの枚数を紙幣収納部１６別に計数し、一時保留部として機能させた後面入出金部１４に集積した紙幣Ｐを全て紙幣収納部１６へ収納したときに、取込紙幣カウントエリアのカウント数を「０」に初期化し、収納終了通知を主制御部３へ送信して入金処理を終了させる。
【０１３４】
収納終了通知を受信した主制御部３は、操作表示部５ａ、５ｂの表示画面にそれぞれ図１１（ａ）に示す支払方法選択画面を表示して後面入出金部１４による支払取引処理の受付停止を解除し、利用者が給油を終了させるのを待って待機する。
【０１３５】
また、返却処理指令を受信した制御部１１は、後面入出金部１４のステージ１４ｃを上昇させ、その分離集積機構１４ｂによって後面入出金部１４に集積されている紙幣Ｐを１枚毎に分離して入出金部搬送路２０ｂへ繰出し、後面入出金部１４側の入出金部搬送路２０ｂ、鑑別部１５、前面入出金部１３側の入出金部搬送路２０ａを経由した搬送経路によって、取扱側の前面入出金部１３へ搬送し、その分離集積機構１３ｂによって下降させたステージ１３ｃ上に集積し、一時保留部として機能させた後面入出金部１４に集積した紙幣Ｐを全て前面入出金部１３へ集積したときに、取込紙幣カウントエリアの金種別の枚数を「０」に初期化し、取扱側の前面入出金部１３に返却紙幣を集積した旨を添付した返却紙幣集積通知を主制御部３へ送信すると共にシャッタ１３ｄを開作動させて入出金口１３ａを開放する。
【０１３６】
返却紙幣集積通知を受信した主制御部３は、紙幣Ｐを返却する旨の文言を表示した紙幣返却画面を操作表示部５ａの表示画面に表示する。
【０１３７】
そして、制御部１１は、利用者が前面入出金部１３内の返却紙幣を取出したことを確認しシャッタ１３ｄを閉作動させて入出金口１３ａを閉鎖し、主制御部３へ返却終了通知を送信して入金処理を終了させる。
【０１３８】
返却終了通知を受信した主制御部３は、支払取引処理を終了させ、操作表示部５ａ、５ｂの表示画面にそれぞれ図１１（ａ）に示す支払方法選択画面を表示して後面入出金部１４による支払取引処理の受付停止を解除し、利用者による選択ボタンの押下を待って待機する。
【０１３９】
上記した取込処理の実行中に、鑑別部１５で鑑別した当該紙幣Ｐの鑑別結果が、入金リジェクト紙幣の場合は、その入金リジェクト紙幣を利用者に返却するために、入出金部搬送路２０ａを逆転させて前記の逆方向、つまり鑑別部１５から搬送元の前面入出金部１３の方向へ搬送し、分離集積機構１３ｂによって下降させたステージ１３ｃ上に集積する。
【０１４０】
このとき、本実施例の入出金部搬送路２０ａは、鑑別部１５と前面入出金部１３との間を一直線にして最短距離で接続しているので、当該紙幣Ｐがジャム誘発券であったとしても、鑑別部１５への搬送時やその逆方向への搬送時に紙幣ジャム等の搬送障害が発生することはなく、当該ジャム誘発券を正常に搬送して前面入出金部１３に集積して利用者に返却することが可能になる。
【０１４１】
また、投入された紙幣にジャム誘発券が含まれていたとしても、一直線かつ最短距離で接続した入出金部搬送路２０ａによって、当該ジャム誘発券を取込処理の初期段階で予め除去するので、その後の紙幣収納部１６等への搬送経路に曲り部が存在したとしても、ジャム紙幣等の搬送障害の発生を防止することができ、紙幣収納部１６等への搬送経路の自由度を向上させて、紙幣入出金機９の小型化を図ることができる。
【０１４２】
入金リジェクト紙幣を前面入出金部１３に集積した制御部１１は、当該紙幣Ｐの鑑別結果を添付した入金リジェクト紙幣返却通知を主制御部３へ送信すると共にシャッタ１３ｄを開作動させて入出金口１３ａを開放する。
【０１４３】
入金リジェクト紙幣返却通知を受信した主制御部３は、上記実施例１の入金リジェクト紙幣の返却時と同様にして、図１２に示すリジェクト紙幣返却画面を操作表示部５ａの表示画面に表示する。
【０１４４】
入金リジェクト紙幣返却通知の送信後に、制御部１１は紙幣Ｐの再投入を待って待機し、紙幣Ｐの取出し後に再び紙幣Ｐの投入を検知したときに、取込再開通知を主制御部３へ送信し、シャッタ１３ｄを閉作動させ入出金口１３ａを閉鎖して紙幣Ｐの取込処理を再開させる。取込再開通知を受信した主制御部３は支払取引処理を継続させる。
【０１４５】
本実施例の主制御部３および制御部１１による前面入出金部１３への、図１６に太い実線で示す搬送経路を用いた出金処理の作動は、上記実施例１の前面入出金部１３を用いた場合の図６に太い実線で示す搬送経路による出金処理の作動と同様であるので、その説明を省略する。
【０１４６】
このようにして、前面入出金部１３を用いた本実施例の支払取引処理が実行される。
【０１４７】
次に、利用者が後面側の操作表示部５ｂから「現金」ボタンを押下した場合における本実施例の後面入出金部１４を用いた支払取引処理について、図１７ないし図１９を用いて説明する。
【０１４８】
本実施例の主制御部３および制御部１１による、後面入出金部１４から一時保留部として機能させる前面入出金部１３への、図１７に太い実線で示す搬送経路を用いた取込処理の作動（入出金部搬送路２０ｂを逆転させた入金リジェクト紙幣の後面入出金部１４への返却の作動を含む。）は、上記実施例１の後面入出金部１４を用いた場合の図７に太い実線で示す搬送経路による取込処理の作動と同様であるので、その説明を省略する。
【０１４９】
本実施例の主制御部３および本実施例の制御部１１による、一時保留部として機能させた前面入出金部１３から紙幣収納部１６への、図１８に太い実線で示す搬送経路を用いた収納処理の作動は、上記実施例１の後面入出金部１４を用いた場合の図８に太い実線で示す搬送経路による収納処理の作動と同様であるので、その説明を省略する。
【０１５０】
一方、確定された入金紙幣の紙幣収納庫１６への収納後に、利用者が給油を終了させるのを待って待機していた現金処理装置１の主制御部３は、上位装置から代金を添付した代金精算要求を受信すると、取扱側と反対側（本説明では、前面側）の操作表示部５ａの表示画面に図１１（ｂ）に示す支払方法表示画面を表示して、非取扱側の後面入出金部１４による支払取引処理の受付を停止すると共に、上記実施例１の前面入出金部１３を用いた場合の出金取引処理と同様にして、紙幣入出金機９の制御部１１へ、釣銭額を添付した出金処理指令を送信する。
【０１５１】
出金処理指令を受信した制御部１１は、出金処理を開始して出金処理指令の釣銭額を構成する金種別の内訳枚数を算出し、記憶部１２の収納金種設定情報を参照して、各紙幣収納部１６、つまり釣銭金種の紙幣Ｐが収納されている紙幣収納部１６ａ、１６ｂから算出した内訳枚数分の紙幣Ｐを順次に繰出し、収納紙幣カウントエリアの紙幣収納部１６別の収納枚数を順次に減算しながら、収納搬送路２０ｃ、後面入出金部１４側の入出金部搬送路２０ｂより鑑別部１５へ搬送し（図１９に太い実線で示す搬送経路参照）、鑑別部１５によって当該出金紙幣の真偽や金種、搬送異常の有無等を鑑別する。
【０１５２】
当該出金紙幣を鑑別した制御部１１は、その鑑別結果が真券である場合は、鑑別された金種を基に出金金額を計数しながら、前面入出金部１３側の入出金部搬送路２０ａ、後面入出金搬送路２０ｅ（図１９に太い実線で示す鑑別部１５と後面入出金部１４との間の搬送経路参照）によって、取扱側の後面入出金部１４へ搬送し、その分離集積機構１４ｂによって下降させたステージ１４ｃ上に集積する。
【０１５３】
また、当該出金紙幣の鑑別結果が、出金リジェクト紙幣の場合は、この出金リジェクト紙幣を入出金部搬送路２０ａ、リジェクト搬送路２０ｄ（図１９に太い実線で示す鑑別部１５と出金リジェクト部１９との間の搬送経路参照）によって、出金リジェクト部１９へ搬送し、その集積機構１９ａによって出金リジェクト部１９内に収納する。
【０１５４】
そして、鑑別部１５で鑑別、計数した出金金額が釣銭額と一致したときに、取扱側の後面入出金部１４に出金紙幣を集積した旨を添付した出金紙幣集積通知を主制御部３へ送信すると共にシャッタ１４ｄを開作動させて入出金口１４ａを開放する。
【０１５５】
出金紙幣集積通知を受信した主制御部３は、釣銭の紙幣Ｐを返却する旨の文言を表示した釣銭返却画面を操作表示部５ｂの表示画面に表示する。
【０１５６】
そして、制御部１１は、利用者が後面入出金部１４内の釣銭の紙幣Ｐを取出したことを確認しシャッタ１４ｄを閉作動させて入出金口１４ａを閉鎖し、主制御部３へ釣銭返却終了通知を送信し、出金処理を終了させる。
【０１５７】
釣銭返却終了通知を受信した主制御部３は、支払取引処理を終了させ、操作表示部５ａ、５ｂの表示画面にそれぞれ図１１（ａ）に示す支払方法選択画面を表示して前面入出金部１３による支払取引処理の受付停止を解除し、利用者による選択ボタンの押下を待って待機する。
【０１５８】
このようにして、後面入出金部１４を用いた本実施例の支払取引処理が実行される。
【０１５９】
上記のように、本実施例の紙幣入出金機９においては、前面入出金部１３と鑑別部１５との間、後面入出金部１４と鑑別部１５との間をそれぞれ一直線の入出金部搬送路２０ａ、２０ｂで接続し、前面入出金部１３または後面入出金部１４から入出金部搬送路２０ａまたは２０ｂによって鑑別部１５へ搬送され、鑑別部１５で入金リジェクト紙幣と鑑別された紙幣Ｐを、入出金部搬送路２０ａまたは２０ｂを逆方向に搬送して、それぞれ搬送元の入出金部へ返却するので、前面入出金部１３と鑑別部１５との間、後面入出金部１４と鑑別部１５との間を、それぞれ直線かつ最短距離にして接続することができ、投入された紙幣にジャム誘発券が含まれていたとしても、鑑別部１５への搬送時やその逆方向への搬送時に紙幣ジャム等の搬送障害が発生することはなく、当該ジャム誘発券を正常に搬送して前面入出金部１３または後面入出金部１４に集積して利用者に返却することができると共に、当該ジャム誘発券を投入紙幣の取込処理の初期段階で予め除去することができ、その後の紙幣収納部１６等への搬送経路における曲り部の存在を許容して紙幣入出金機９の小型化を図ることができる。
【０１６０】
また、前面入出金部１３および後面入出金部１４に、その入出金口１３ａ、１４ａをそれぞれ開閉するシャッタ１３ｄ、１４ｄを設け、前面入出金部１３または後面入出金部１４に、紙幣Ｐが投入された場合に、後面入出金部１４のシャッタ１４ｄまたは前面入出金部１３のシャッタ１３ｄを閉鎖して、後面入出金部１４または前面入出金部１３を一時保留部として機能させるので、前面入出金部１３および後面入出金部１４を用いた取込処理における一時保留部を別に設ける必要がなくなり、一時保留部の設置を省略して紙幣入出金機９の小型化を図ることができる。
【０１６１】
更に、前面入出金部１３と鑑別部１５との間の入出金部搬送路２０ａから分岐して後面入出金部１４に至る後面入出金搬送路２０ｅを設け、後面入出金部１４に一時保留した紙幣Ｐを収納する場合や後面入出金部１４に出金紙幣を搬送する場合に、後面入出金部１４と紙幣収納部１６との間を直接接続して紙幣Ｐを搬送するので、前面入出金部１３および後面入出金部１４を用いたそれぞれの支払取引処理における入金処理や出金処理の処理時間を、いずれの面を用いても同等にすることができ、利用者に無用の混乱を与えることを防止することができる。
【０１６２】
なお、収納搬送路２０ｃおよび後面入出金搬送路２０ｅは、前面入出金部１３と鑑別部１５との間の入出金部搬送路２０ａから収納搬送路２０ｃを分岐させて各紙幣収納部１６に接続し、後面入出金部１４と鑑別部１５との間の入出金部搬送路２０ｂから入出金搬送路としての前面入出金搬送路を分岐させて前面入出金部１３に接続した場合も同様である。
【０１６３】
以上説明したように、本実施例では、上記実施例１と同様の効果に加えて、前面入出金部および後面入出金部に、それぞれの入出金口を開閉するシャッタを設け、前面入出金部または後面入出金部に紙幣Ｐが投入された場合に、後面入出金部のシャッタまたは前面入出金部のシャッタを閉鎖して、後面入出金部または前面入出金部を一時保留部として機能させるので、前面入出金部および後面入出金部を用いた取込処理における一時保留部を別に設ける必要がなくなり、一時保留部の設置を省略して紙幣入出金機の小型化を図ることができる。
【０１６４】
また、前面入出金部と鑑別部との間の入出金部搬送路から分岐して後面入出金部に至る後面入出金搬送路を設けたことによって、後面入出金部と紙幣収納部との間を直接接続することができ、前面入出金部または後面入出金部を用いたそれぞれの支払取引処理における入金処理や出金処理の処理時間を、いずれの面を用いても同等にすることができ、利用者に無用の混乱を与えることを防止することができる。
【実施例３】
【０１６５】
本実施例の説明においては、上記実施例１と同様の部分は、同一の符号を付してその説明を省略する。
【０１６６】
図２０において、２５ａ〜２５ｄは追加収納搬送路であり、本実施例の前面入出金部１３および後面入出金部１４を一時保留部として機能させるために収納搬送路２０ｃに追加された搬送路であって、後面入出金部１４に一時保留された入金紙幣を各紙幣収納部部１６に収納するときに入金紙幣を搬送する。
【０１６７】
追加収納搬送路２５ａは、リジェクト搬送路２０ｄの入出金部搬送路２０ａ側の分岐部と、収納搬送路２０ｃの紙幣収納部１６ａへの分岐部とを接続する搬送路である。
【０１６８】
追加収納搬送路２５ｂは、リジェクト搬送路２０ｄの出金リジェクト部１９側の分岐部と、紙幣収納部１６ａへの収納搬送路２０ｃとを接続する搬送路である。
【０１６９】
追加収納搬送路２５ｃは、収納搬送路２０ｃと、紙幣収納部１６ｂへの収納搬送路２０ｃとを接続する搬送路である。
【０１７０】
追加収納搬送路２５ｄは、収納搬送路２０ｃと、紙幣収納部１６ｃへの収納搬送路２０ｃとを接続する搬送路である。
【０１７１】
上記の各追加収納搬送路２５は、それぞれ収納方向にのみ紙幣Ｐを搬送するように構成されている。
【０１７２】
本実施例の現金処理装置１の主記憶部４および紙幣入出金機９の記憶部１２には、上記実施例２と同様のプログラムが格納され、紙幣入出金機９の記憶部１２には、上記実施例１と同様の収納金種設定情報が予め設定されて格納される他、上記実施例１と同様の収納枚数カウントエリア、取込紙幣カウントエリア等が予め確保されている。
【０１７３】
なお、本実施例では、保留紙幣カウントエリアは省略されている。
【０１７４】
上記の構成の作用について説明する。
【０１７５】
まず、利用者が前面側の操作表示部５ａから「現金」ボタンを押下した場合における本実施例の前面入出金部１３を用いた支払取引処理について、図２１ないし図２３を用いて説明する。
【０１７６】
本実施例の主制御部３および制御部１１による、前面入出金部１３から一時保留部として機能させる後面入出金部１４への、図２１に太い実線で示す搬送経路を用いた取込処理の作動（入出金部搬送路２０ａを逆転させた入金リジェクト紙幣の前面入出金部１３への返却の作動を含む。）は、上記実施例２の前面入出金部１３を用いた場合の図１４に太い実線で示す搬送経路による取込処理の作動と同様であるので、その説明を省略する。
【０１７７】
取込終了通知を受信した主制御部３は、上記実施例１の取込終了通知の受信時と同様にして、操作表示部５ａの表示画面に入金金額確認画面を表示し、利用者が「確認」ボタンを押下したことを認識した場合は、入金金額が確定されたと判定して、制御部１１へ入金処理における収納処理指令を送信する。
【０１７８】
また、主制御部３は、利用者が「返却」ボタンを押下したことを認識した場合は、制御部１１へ入金処理における返却処理指令を送信する。
【０１７９】
取込終了通知の送信後に、主制御部３からの収納処理指令または返却処理指令の着信を待って待機していた制御部１１は、主制御部３からの収納処理指令を受信した場合は、後面入出金部１４のステージ１４ｃを上昇させ、その分離集積機構１４ｂによって後面入出金部１４に集積された紙幣Ｐを１枚毎に分離して入出金部搬送路２０ｂへ繰出し、後面入出金部１４側の入出金部搬送路２０ｂ（図２２に太い実線で示す後面入出金部１４と鑑別部１５との間の搬送経路参照）によって鑑別部１５へ搬送し、鑑別部１５によって当該紙幣Ｐの金種等を鑑別し、鑑別された金種を基に、記憶部１２の収納金種設定情報を参照して、搬送先の紙幣収納部１６を特定し、前面入出金部１３側の入出金部搬送路２０ａ、リジェクト搬送路２０ｄ、各追加収納搬送路２５および収納搬送路２０ｃによって、当該紙幣Ｐを特定した紙幣収納部１６、つまり紙幣収納部１６ａ〜１６ｃに搬送し、その分離集積機構１７によりステージ１８上に集積して収納する（図２２に太い実線で示す搬送経路参照）と共に、記憶部１２の収納枚数カウントエリアによって収納した紙幣Ｐの枚数を紙幣収納部１６別に計数し、一時保留部として機能させた後面入出金部１４に集積した紙幣Ｐを全て紙幣収納部１６へ収納したときに、取込紙幣カウントエリアのカウント数を「０」に初期化し、収納終了通知を主制御部３へ送信して入金処理を終了させる。
【０１８０】
収納終了通知を受信した主制御部３は、操作表示部５ａ、５ｂの表示画面にそれぞれ図１１（ａ）に示す支払方法選択画面を表示して後面入出金部１４による支払取引処理の受付停止を解除し、利用者が給油を終了させるのを待って待機する。
【０１８１】
本実施例の主制御部３および制御部１１による、一時保留部として機能させた後面入出金部１４から前面入出金部１３への、後面入出金部１４側の入出金部搬送路２０ｂ、鑑別部１５、前面入出金部１３側の入出金部搬送路２０ａを経由した搬送経路を用いた返却処理の作動は、上記実施例２の前面入出金部１３を用いた場合の同じ搬送経路による返却処理の作動と同様であるので、その説明を省略する。
【０１８２】
本実施例の主制御部３および制御部１１による前面入出金部１３への、図２３に太い実線で示す搬送経路を用いた出金処理の作動は、上記実施例１の前面入出金部１３を用いた場合の図６に太い実線で示す搬送経路による出金処理の作動と同様であるので、その説明を省略する。
【０１８３】
このようにして、前面入出金部１３を用いた本実施例の支払取引処理が実行される。
【０１８４】
次に、利用者が後面側の操作表示部５ｂから「現金」ボタンを押下した場合における本実施例の後面入出金部１４を用いた支払取引処理について、図２４ないし図２７を用いて説明する。
【０１８５】
本実施例の主制御部３および制御部１１による、後面入出金部１４から一時保留部として機能させる前面入出金部１３への、図２４に太い実線で示す搬送経路を用いた取込処理の作動（入出金部搬送路２０ｂを逆転させた入金リジェクト紙幣の後面入出金部１４への返却の作動を含む。）は、上記実施例１の後面入出金部１４を用いた場合の図７に太い実線で示す搬送経路による取込処理の作動と同様であるので、その説明を省略する。
【０１８６】
本実施例の主制御部３および本実施例の制御部１１による、一時保留部として機能させた前面入出金部１３から紙幣収納部１６への、図２５に太い実線で示す搬送経路を用いた収納処理の作動は、上記実施例１の後面入出金部１４を用いた場合の図８に太い実線で示す搬送経路による収納処理の作動と同様であるので、その説明を省略する。
【０１８７】
本実施例の主制御部３および制御部１１による後面入出金部１４への、図２６、図２７に太い実線で示す搬送経路を用いた出金処理の作動は、上記実施例１の後面入出金部１４を用いた場合の図９、図１０に太い実線で示す搬送経路による出金処理の作動と同様であるので、その説明を省略する。
【０１８８】
このようにして、後面入出金部１４を用いた本実施例の支払取引処理が実行される。
【０１８９】
上記のように、本実施例の紙幣入出金機９においては、前面入出金部１３と鑑別部１５との間、後面入出金部１４と鑑別部１５との間をそれぞれ一直線の入出金部搬送路２０ａ、２０ｂで接続し、前面入出金部１３または後面入出金部１４から入出金部搬送路２０ａまたは２０ｂによって鑑別部１５へ搬送され、鑑別部１５で入金リジェクト紙幣と鑑別された紙幣Ｐを、入出金部搬送路２０ａまたは２０ｂを逆方向に搬送して、それぞれ搬送元の入出金部へ返却するので、前面入出金部１３と鑑別部１５との間、後面入出金部１４と鑑別部１５との間を、それぞれ直線かつ最短距離にして接続することができ、投入された紙幣にジャム誘発券が含まれていたとしても、鑑別部１５への搬送時やその逆方向への搬送時に紙幣ジャム等の搬送障害が発生することはなく、当該ジャム誘発券を正常に搬送して前面入出金部１３または後面入出金部１４に集積して利用者に返却することができると共に、当該ジャム誘発券を投入紙幣の取込処理の初期段階で予め除去することができ、その後の紙幣収納部１６等への搬送経路における曲り部の存在を許容して紙幣入出金機９の小型化を図ることができる。
【０１９０】
また、前面入出金部１３および後面入出金部１４に、その入出金口１３ａ、１４ａを開閉するシャッタ１３ｄ、１４ｄを設け、前面入出金部１３または後面入出金部１４に、紙幣Ｐが投入された場合に、後面入出金部１４のシャッタ１４ｄまたは前面入出金部１３のシャッタ１３ｄを閉鎖して、後面入出金部１４または前面入出金部１３を一時保留部として機能させるので、前面入出金部１３および後面入出金部１４を用いた取込処理における一時保留部を別に設ける必要がなくなり、一時保留部の設置を省略して紙幣入出金機９の小型化を図ることができる。
【０１９１】
以上説明したように、本実施例では、上記実施例１と同様の効果に加えて、前面入出金部および後面入出金部に、それぞれの入出金口を開閉するシャッタを設け、前面入出金部または後面入出金部に紙幣Ｐが投入された場合に、後面入出金部のシャッタまたは前面入出金部のシャッタを閉鎖して、後面入出金部または前面入出金部を一時保留部として機能させるので、前面入出金部および後面入出金部を用いた取込処理における一時保留部を別に設ける必要がなくなり、一時保留部の設置を省略して紙幣入出金機の小型化を図ることができる。
【０１９２】
なお、上記各実施例においては、ガソリンスタンドの給油装置に装備されている現金処理装置としての自動精算機に本発明の両面取扱型の紙幣入出金機を適用した場合を例に説明したが、スーパーマーケットのレジに設置された商品の代金を精算する両面取扱型の現金処理装置としての自動精算機等に適用しても、対面型のカウンタで担当者と利用者が同時に使用するような現金処理装置としての卓上型の窓口端末に適用しても、本発明と同様の効果を得ることができる。
【符号の説明】
【０１９３】
１    現金処理装置
２    給油装置
３    主制御部
４    主記憶部
５ａ、５ｂ  操作表示部
６ａ、６ｂ  クレジットカード取扱部
７ａ、７ｂ  プリペイドカード取扱部
８    硬貨入出金機
９    紙幣入出金機
１１  制御部
１２  記憶部
１３  前面入出金部
１３ａ、１４ａ  入出金口
１３ｂ、１４ｂ、１７  分離集積機構
１３ｃ、１４ｃ、１８  ステージ
１３ｄ、１４ｄ  シャッタ
１４  後面入出金部
１５  鑑別部
１６、１６ａ〜１６ｃ  紙幣収納部
１９  出金リジェクト部
１９ａ  集積機構
２０  搬送路
２０ａ、２０ｂ  入出金部搬送路
２０ｃ  収納搬送路
２０ｄ  リジェクト搬送路
２０ｅ  後面入出金搬送路
２５、２５ａ〜２５ｄ  追加収納搬送路
【図１】
2010287073.tif 000003
【図２】
2010287073.tif 000004
【図３】
2010287073.tif 000005
【図４】
2010287073.tif 000006
【図５】
2010287073.tif 000007
【図６】
2010287073.tif 000008
【図７】
2010287073.tif 000009
【図８】
2010287073.tif 000010
【図９】
2010287073.tif 000011
【図１０】
2010287073.tif 000012
【図１１】
2010287073.tif 000013
【図１２】
2010287073.tif 000014
【図１３】
2010287073.tif 000015
【図１４】
2010287073.tif 000016
【図１５】
2010287073.tif 000017
【図１６】
2010287073.tif 000018
【図１７】
2010287073.tif 000019
【図１８】
2010287073.tif 000020
【図１９】
2010287073.tif 000021
【図２０】
2010287073.tif 000022
【図２１】
2010287073.tif 000023
【図２２】
2010287073.tif 000024
【図２３】
2010287073.tif 000025
【図２４】
2010287073.tif 000026
【図２５】
2010287073.tif 000027
【図２６】
2010287073.tif 000028
【図２７】
2010287073.tif 000029